(57)【要約】      （修正有）【課題】室内機に設定されたアドレスをワイヤレスリモコンを用いて変更する際の変更作業を容易とし、また確実にアドレスの設定を行えるようにする。【解決手段】前記ワイヤレスリモコン３は、自身のリモコンアドレスが変更された場合、変更される前のリモコンアドレスである変更前リモコンアドレスを前記ワイヤレス操作信号に含めて変更後の前記リモコンアドレスと共に送信し、室内機４の各々は、受信したワイヤレス操作信号のリモコンアドレスが自身の室内機アドレスと異なるとき、ワイヤレス操作信号に、自身の室内機アドレスと一致する変更前リモコンアドレスが含まれている場合には、自身の室内機アドレスをリモコンアドレスに変更する。【選択図】図１
2008151372.tif 000002
【特許請求の範囲】
【請求項１】
室内機アドレスが各個に設定された複数の室内機を有する空気調和装置と、
遠隔操作対象の室内機の室内機アドレスが設定されたワイヤレスリモコンとを備え、
前記ワイヤレスリモコンは、自身に設定されているリモコンアドレスをワイヤレス操作信号に含めて各室内機に送出し、
各室内機は、前記ワイヤレス操作信号を受信したとき、当該ワイヤレス操作信号のリモコンアドレスが自身の室内機アドレスと同じ場合に、当該ワイヤレス操作信号に基づく動作を実行する空気調和システムであって、
前記ワイヤレスリモコンは、自身のリモコンアドレスが変更された場合、変更される前のリモコンアドレスである変更前リモコンアドレスを前記ワイヤレス操作信号に含めて変更後の前記リモコンアドレスと共に送信し、
前記室内機の各々は、受信したワイヤレス操作信号のリモコンアドレスが自身の室内機アドレスと異なるとき、当該ワイヤレス操作信号に、自身の室内機アドレスと一致する変更前リモコンアドレスが含まれている場合には、自身の室内機アドレスをリモコンアドレスに変更する
ことを特徴とする空気調和システム。
【請求項２】
前記ワイヤレスリモコンは、
前記ワイヤレス操作信号が室内機アドレスの変更指示信号であるか否か示す識別フラグを含めて前記ワイヤレス操作信号に送出し、
前記室内機の各々は、前記ワイヤレス操作信号を受信した場合、前記識別フラグによって室内機アドレスの変更指示信号である事が示され、なおかつ、当該ワイヤレス操作信号に、自身の室内機アドレスと一致する変更前リモコンアドレスが含まれている場合には、自身の室内機アドレスをリモコンアドレスに変更する
ことを特徴とする請求項１に記載の空気調和システム。
【請求項３】
前記ワイヤレスリモコンは、
前記室内機アドレスが不明な室内機に、自身のリモコンアドレスを設定する場合、
室内機アドレスの変更指示信号である事を前記識別フラグにより示すと共に、全ての室内機が受信対象であることを示すＡＬＬデータを前記変更前リモコンアドレスに設定し、前記ワイヤレス操作信号を送出し、
前記室内機の各々は、前記ワイヤレス操作信号を受信した場合、前記識別フラグによって室内機アドレスの変更指示信号である事が示され、なおかつ、当該ワイヤレス操作信号の変更前リモコンアドレスにＡＬＬデータが設定されている場合には、自身の室内機アドレスをリモコンアドレスに変更する
ことを特徴とする請求項２に記載の空気調和システム。
【請求項４】
前記ワイヤレスリモコンは、リモコンアドレスを設定する操作部を有し、前記操作部が操作されてリモコンアドレスが変更されたときに、前記変更前リモコンアドレスを設定して送信し、遠隔操作対象の室内機の室内機アドレスを変更する
ことを特徴とする請求項１乃至３のいずれかに記載の空気調和システム。
【請求項５】
室内機アドレスが各個に設定された複数の室内機を有し、
各室内機は、リモコンアドレスが設定されたワイヤレスリモコンから送出されたワイヤレス操作信号を受信したときに、自身に設定されている室内機アドレスと同じアドレスのリモコンアドレスがワイヤレス操作信号に含まれている場合に、当該ワイヤレス操作信号に基づく動作を実行する空気調和装置であって、
前記室内機の各々は、受信したワイヤレス操作信号のリモコンアドレスが自身の室内機アドレスと異なるとき、当該ワイヤレス操作信号に、自身の室内機アドレスと一致するアドレスが含まれている場合には、自身の室内機アドレスを前記リモコンアドレスに変更する
ことを特徴とする空気調和装置。
【請求項６】
室内機アドレスが各個に設定された複数の室内機を有し、
各室内機は、リモコンアドレスが設定されたワイヤレスリモコンから送出されたワイヤレス操作信号を受信したときに、自身に設定されている室内機アドレスと同じアドレスのリモコンアドレスがワイヤレス操作信号に含まれている場合に、当該ワイヤレス操作信号に基づく動作を実行する空気調和装置の室内機アドレス変更方法であって、
変更後のアドレスを前記リモコンアドレスとすると共に、変更前のアドレスを前記ワイヤレス操作信号に含めて前記ワイヤレスリモコンに送出させ、当該ワイヤレス操作信号を受信した室内機の各々は、前記ワイヤレス操作信号のリモコンアドレスが自身の室内機アドレスと異なるとき、当該ワイヤレス操作信号に、自身の室内機アドレスと一致するアドレスが含まれている場合には、自身の室内機アドレスをリモコンアドレスに変更する
ことを特徴とする室内機アドレス変更方法。
【発明の詳細な説明】
【技術分野】
【０００１】
本発明は、複数の室内機をワイヤレスリモコンによって遠隔操作する空気調和システム、このような室内機を備えた空気調和装置、及び、このような室内機に設定された室内機アドレスを変更する室内機アドレス変更方法に関する。
【背景技術】
【０００２】
室内機アドレスが各個に設定された複数の室内機を有する空気調和装置と、遠隔操作対象の室内機の室内機アドレスが設定されたワイヤレスリモコンとを備え、ワイヤレスリモコンが、自身に設定されているリモコンアドレスをワイヤレス操作信号に含めて各室内機に送出し、各室内機がワイヤレス操作信号を受信したとき、当該ワイヤレス操作信号のリモコンアドレスが自身の室内機アドレスと同じ場合に、当該ワイヤレス操作信号に基づく動作を実行するようにした空気調和システムが知られている。この空気調和システムにおいては、室内機と、これを遠隔操作するワイヤレスリモコンとが一対一に対応付けられるため、複数台の室内機が同じ被調和室に設置されている場合でも、特定のワイヤレスリモコンのみが特定の室内機を遠隔操作することになる。
【０００３】
上記の空気調和システムにおいては、工場出荷時には通常、各室内機アドレスに初期アドレスが設定されている。したがって、これらの室内機を空調室に複数設置する際には、各室内機の室内機アドレスを異ならせるためのアドレス設定作業が行われる。そこで、各室内機にディップスイッチを予め配設し、このディップスイッチを操作することで室内機アドレスを各個に設定するようにしたものがある。しかしながら、ディップスイッチを各室内機に配設する必要があるため、室内機のコストが高くなり、また、各室内機のディップスイッチを手作業で操作する手間がかかる、といった問題がある。
このような問題を解決するために、近年では、ワイヤレスリモコンのリモコンアドレスが切換えられたときに、アドレスが切換えられたことを示す信号と、切換えられたアドレスとを室内機に送出する機能をワイヤレスリモコンに持たせ、室内機は、アドレスが切換えられたことを示す信号を受信した場合に、自身の室内機アドレスを切換えられたアドレスに変更する技術が提案されている（例えば、特許文献１参照）。
【特許文献１】特開２００２−７１１９６号公報
【発明の開示】
【発明が解決しようとする課題】
【０００４】
しかしながら、アドレスが切換えられたことを示す信号を受信した室内機がアドレスを変更する構成とすると、複数の室内機が同じ信号を受信した場合には、これらの室内機に同一のアドレスが設定されてしまう、という問題がある。特に、同一の被調和室内に複数の室内機を設置した場合には、各室内機の設置間隔が比較的近くなるため、この問題は顕著になる。この問題を解決するためには、所望の室内機のアドレスを変更する際、他の室内機がワイヤレスリモコンからの信号を受信しないように、これらの室内機の電源をオフにしたり、或いは、所望の室内機の受信部にワイヤレスリモコンを近づけ、他の室内機が信号を受信しないようにしたりする等の煩雑な作業が必要になる。
【０００５】
本発明は、上述した事情に鑑みてなされたものであり、室内機に設定されたアドレスをワイヤレスリモコンを用いて変更する際の変更作業を容易とし、また確実にアドレスの設定を行うことが可能な空気調和システム、空気調和装置及び室内機アドレス変更方法を提供することを目的とする。
【課題を解決するための手段】
【０００６】
上記目的を達成するために、本発明は、室内機アドレスが各個に設定された複数の室内機を有する空気調和装置と、遠隔操作対象の室内機の室内機アドレスが設定されたワイヤレスリモコンとを備え、前記ワイヤレスリモコンは、自身に設定されているリモコンアドレスをワイヤレス操作信号に含めて各室内機に送出し、各室内機は、前記ワイヤレス操作信号を受信したとき、当該ワイヤレス操作信号のリモコンアドレスが自身の室内機アドレスと同じ場合に、当該ワイヤレス操作信号に基づく動作を実行する空気調和システムであって、前記ワイヤレスリモコンは、自身のリモコンアドレスが変更された場合、変更される前のリモコンアドレスである変更前リモコンアドレスを前記ワイヤレス操作信号に含めて変更後の前記リモコンアドレスと共に送信し、前記室内機の各々は、受信したワイヤレス操作信号のリモコンアドレスが自身の室内機アドレスと異なるとき、当該ワイヤレス操作信号に、自身の室内機アドレスと一致する変更前リモコンアドレスが含まれている場合には、自身の室内機アドレスをリモコンアドレスに変更することを特徴とする。
【０００７】
また、本発明は、上記発明において、前記ワイヤレスリモコンは、前記ワイヤレス操作信号が室内機アドレスの変更指示信号であるか否か示す識別フラグを含めて前記ワイヤレス操作信号に送出し、前記室内機の各々は、前記ワイヤレス操作信号を受信した場合、前記識別フラグによって室内機アドレスの変更指示信号である事が示され、なおかつ、当該ワイヤレス操作信号に、自身の室内機アドレスと一致する変更前リモコンアドレスが含まれている場合には、自身の室内機アドレスをリモコンアドレスに変更することを特徴とする。
【０００８】
また、本発明は、上記発明において、前記ワイヤレスリモコンは、前記室内機アドレスが不明な室内機に、自身のリモコンアドレスを設定する場合、室内機アドレスの変更指示信号である事を前記識別フラグにより示すと共に、全ての室内機が受信対象であることを示すＡＬＬデータを前記変更前リモコンアドレスに設定し、前記ワイヤレス操作信号を送出し、前記室内機の各々は、前記ワイヤレス操作信号を受信した場合、前記識別フラグによって室内機アドレスの変更指示信号である事が示され、なおかつ、当該ワイヤレス操作信号の変更前リモコンアドレスにＡＬＬデータが設定されている場合には、自身の室内機アドレスをリモコンアドレスに変更することを特徴とする。
【０００９】
また、本発明は、上記発明において、前記ワイヤレスリモコンは、リモコンアドレスを設定する操作部を有し、前記操作部が操作されてリモコンアドレスが変更されたときに、前記変更前リモコンアドレスを設定して送信し、遠隔操作対象の室内機の室内機アドレスを変更することを特徴とする。
【００１０】
また、上記目的を達成するために、本発明は、室内機アドレスが各個に設定された複数の室内機を有し、各室内機は、リモコンアドレスが設定されたワイヤレスリモコンから送出されたワイヤレス操作信号を受信したときに、自身に設定されている室内機アドレスと同じアドレスのリモコンアドレスがワイヤレス操作信号に含まれている場合に、当該ワイヤレス操作信号に基づく動作を実行する空気調和装置であって、前記室内機の各々は、受信したワイヤレス操作信号のリモコンアドレスが自身の室内機アドレスと異なるとき、当該ワイヤレス操作信号に、自身の室内機アドレスと一致するアドレスが含まれている場合には、自身の室内機アドレスを前記リモコンアドレスに変更することを特徴とする。
【００１１】
また、上記目的を達成するために、本発明は、室内機アドレスが各個に設定された複数の室内機を有し、各室内機は、リモコンアドレスが設定されたワイヤレスリモコンから送出されたワイヤレス操作信号を受信したときに、自身に設定されている室内機アドレスと同じアドレスのリモコンアドレスがワイヤレス操作信号に含まれている場合に、当該ワイヤレス操作信号に基づく動作を実行する空気調和装置の室内機アドレス変更方法であって、変更後のアドレスを前記リモコンアドレスとすると共に、変更前のアドレスを前記ワイヤレス操作信号に含めて前記ワイヤレスリモコンに送出させ、当該ワイヤレス操作信号を受信した室内機の各々は、前記ワイヤレス操作信号のリモコンアドレスが自身の室内機アドレスと異なるとき、当該ワイヤレス操作信号に、自身の室内機アドレスと一致するアドレスが含まれている場合には、自身の室内機アドレスをリモコンアドレスに変更することを特徴とする。
【発明の効果】
【００１２】
本発明によれば、各室内機は、ワイヤレス操作信号に含まれているリモコンアドレスが自身の室内機アドレスと異なる場合であっても、当該ワイヤレス操作信号に、自身の室内機アドレスと一致するアドレスが含まれている場合に、自身の室内機アドレスをリモコンアドレスに変更する構成としたため、該当するアドレスの室内機のみが室内機アドレスを変更することになる。したがって、室内機アドレスを変更する所望の室内機と共に、当該室外機と同室に設置されている他の室内機がワイヤレスリモコンの信号を受信したとしても、所望の室内機の室内機アドレスを確実に変更することが可能となり、他の室内機の電源をオフにしておく等の煩雑な操作をせずとも簡単に所望の室内機の室内機アドレス変更作業を行うことが可能となる。
【発明を実施するための最良の形態】
【００１３】
以下、図面を参照して本発明の実施の形態について説明する。
図１は、本実施形態に係る空気調和システム１の構成を概略的に示す図である。空気調和システム１は、オフィス等の被調和室２に設置される複数の室内機４、室外機（図示せず）、各室内機４及び室外機を接続する冷媒配管（図示せず）を有する空気調和装置５と、各室内機４ごとに設けられたワイヤレスリモコン３とを有している。複数の室内機４の全部、或いは、幾つかが同室の被調和室２に設置され、さらに、この被調和室２には、同室に設置されている室内機４と同数のワイヤレスリモコン３が配備される。
なお、以下の説明において、同じ被調和室２には２台の室内機４が設置されているものとし、各室内機４を区別する場合には符号「４Ａ」、「４Ｂ」を付し、また同様に、２つのワイヤレスリモコン３を区別する場合には符号「３Ａ」、「３Ｂ」を付して説明する。
【００１４】
上記ワイヤレスリモコン３は、ワイヤレス操作信号を送出して室内機４を遠隔操作するものであり、各ワイヤレスリモコン３と、室内機４とは一対一に対応付けられており、各室内機４は、自身に対応付けられているワイヤレスリモコン３からのワイヤレス操作信号によってのみ遠隔操作される構成となっている。
【００１５】
詳細には、室内機４には各個に室内機アドレスが設定され、各ワイヤレスリモコン３には、自身が遠隔操作対象とする室内機４の室内機アドレスがリモコンアドレスとして設定されており、室内機４と、当該室内機４と対になるワイヤレスリモコン３との各々に共通のアドレスが付与されている。そして、各ワイヤレスリモコン３は、ワイヤレス操作信号を送出する際に、自身に設定されているリモコンアドレスを含めて送出し、また、各室内機４は、ワイヤレス操作信号を受信した場合、そのワイヤレス操作信号に付加されているリモコンアドレスが自身に設定されている室内機アドレスと一致したときには、そのワイヤレス操作信号が自身と対になるワイヤレスリモコン３からの信号であることを示すため、当該ワイヤレス操作信号に基づく動作を実行することになる。
【００１６】
例えば図１に示す例では、ワイヤレスリモコン３Ａ，３Ｂは、ワイヤレス操作信号に、自身に設定されているリモコンアドレスを付加して送出し、ワイヤレス操作信号を受信した室内機４Ａ，４Ｂは、そのワイヤレス操作信号に付加されているリモコンアドレスの値が自身に設定されている室内機アドレスの値と一致する場合にのみ、ワイヤレス操作信号に基づいて動作を実行する。これによって、室内機４Ａがワイヤレスリモコン３Ａによってのみ、かつ、室内機４Ｂがワイヤレスリモコン３Ｂによってのみ遠隔操作される。
【００１７】
図２は、ワイヤレスリモコン３Ａ、及び、室内機４Ａの機能的構成を示すブロック図である。なお、以下の説明において、空気調和装置１Ｂの構成は、空気調和装置１Ａの構成と同様であるため、一例としてワイヤレスリモコン３Ａ及び室内機４Ａについて説明する。
【００１８】
この図において、ワイヤレスリモコン３Ａの制御部１１は、ワイヤレスリモコン３Ａの各部を中枢的に制御する制御手段として機能するものである。操作部１０は、スイッチやボタン等の操作子を有し、この操作子の作動に基づく操作信号を制御部１１に出力する。ユーザは、室内機４Ａの運転の開始／停止指示、室内温度設定指示、後述するアドレス設定の開始指示等の各種指示を操作部１０の操作によって行う。制御部１１は、操作部１０から入力された操作信号に基づいて、室内機４Ａを制御するための送信データを作成し、送信部１２へ出力する。送信部１２は、制御部１１から入力された送信データをワイヤレス操作信号として外部へ送出する。表示部１３は、制御部１１の制御の下、室内機４Ａの運転モード、操作部１０に対する指示入力の内容、リモコンアドレス等の各種情報を表示する。記憶部１４は、制御部１１によって実行される制御プログラム等の各種データを記憶し、制御部１１のワークエリアとして機能する他、ワイヤレスリモコン３Ａに現在設定されているリモコンアドレスをデータとして記憶すると共に、リモコンアドレスが変更された際は、変更前のリモコンアドレス（以下、「更新前リモコンアドレス」という）をデータとして記憶する。
【００１９】
室内機４Ａの受信部２０は、ワイヤレス操作信号を受信し、受信したワイヤレス操作信号を復調し、受信データとして制御部２１に出力する。制御部２１は、室内機４Ａの各部を中枢的に制御する他、受信部２０から入力された受信データを解析し、この受信データが室内機４Ａを制御するためのデータであると判定した場合、この受信データの内容に基づいて、室内機４Ａを制御する。記憶部２２は、制御部２１が実行する制御プログラム等の各種データを記憶し、制御部２１のワークエリアとして機能する他、室内機４Ａに現在設定されている室内機アドレスをデータとして記憶する。
【００２０】
図３は、ワイヤレスリモコン３が送信するワイヤレス操作信号に含まれる送信データ３０の構成例を示す図である。
送信データ３０には、リモコンアドレス格納部３２、制御データ部３３、アドレス設定フラグ部３１及び変更前リモコンアドレス格納部３４が設けられている。
リモコンアドレス格納部３２は、ワイヤレスリモコン３に現在設定されているリモコンアドレスを格納するものであり、制御データ部３３は、室内機４の運転モードを切換えるためのデータや、室内の設定温度を変更するためのデータ等、室内機４の運転のオン／オフを制御するためのデータを格納するものである。
【００２１】
上記のように、リモコンアドレス格納部３２にリモコンアドレスが格納されて送出されるため、ワイヤレス操作信号がどのワイヤレスリモコン３から送出されたかが室内機４側で特定可能となり、室内機４Ａは、自身に対応付けられたワイヤレスリモコン３、すなわち、自身の室内機アドレスと同一のアドレスが設定されたワイヤレスリモコン３Ａからのワイヤレス操作信号が識別可能となる。
【００２２】
アドレス設定フラグ部３１は、送信データ３０がアドレス設定用送信データであるか否かを示す識別フラグを格納するものである。ここでアドレス設定用送信データとは、送信データ３０によって室内機４に対し室内機アドレスを設定するためのデータのことである。本実施形態においては、送信データ３０がアドレス設定用送信データである場合にアドレス設定フラグ部３１に、アドレス設定用送信データである事を示すフラグがセットされる。
【００２３】
変更前リモコンアドレス格納部３４は、送信データ３０がアドレス設定用送信データである場合に、更新前のリモコンアドレスを格納するものである。
詳述すると、室内機４Ａの室内機アドレスを、この室内機４Ａに対応付けられたワイヤレスリモコン３Ａにて変更する場合、先ず、ユーザは操作部１０を操作してワイヤレスリモコン３Ａに変更後のアドレスをリモコンアドレスに設定する。自身のリモコンアドレスが変更された場合、ワイヤレスリモコン３Ａと室内機４Ａとの一対一の関係を維持すべく、ワイヤレスリモコン３Ａは、上記アドレス設定用送信データをワイヤレス操作信号として送出し、室内機４Ａに室内機アドレスを変更させることとなる。
【００２４】
しかしながら、このワイヤレス操作信号のリモコンアドレス格納部３２には、変更後のリモコンアドレスが格納されるため、このままでは、室内機４Ａがワイヤレスリモコン３Ａからのワイヤレス操作信号を受信不可能になってしまう。
そこで、本実施形態では、ワイヤレスリモコン３Ａは、変更前のリモコンアドレス、すなわち、自身と対応付けられるべき室内機４Ａの室内機アドレスを変更前リモコンアドレス格納部３４に格納して送出する。
【００２５】
これにより、室内機側では、ワイヤレス操作信号がアドレス設定用送信データを含むときには、変更前リモコンアドレス格納部３４を参照することで、当該アドレス設定用送信データが、どの室内機に対して送出されたものであるかが特定可能となり、各室内機４は、自身の室内機アドレスが変更前リモコンアドレス格納部３４に格納されている場合、自身と対応付けられたワイヤレスリモコン３のアドレスと一致させるべく、自身の室内機アドレスを、自身に対応するワイヤレスリモコン３のリモコンアドレス、すなわち、リモコンアドレス格納部３２に格納されているアドレスに変更することとなる。
【００２６】
ところで、ワイヤレスリモコン３に対応付けるべき室内機４の室内機アドレスが何らかの理由で不明である場合、変更前リモコンアドレス格納部３４に変更前のリモコンアドレスを格納したとしても、室内機アドレスが不明の室内機４に、ワイヤレスリモコン３からのワイヤレス操作信号を受信させることは略不可能であり、当該室内機４の室内機アドレスを変更することができない。
そこで、ワイヤレスリモコン３は、自身に対応付けるべき室内機４の室内機アドレスが不明である場合に、当該室内機４に自身のリモコンアドレスを設定する際には、変更前リモコンアドレス格納部３４に、全ての室内機４が当該ワイヤレス操作信号の受信対象であることを示すＡＬＬデータを格納してワイヤレス操作信号を送出し、当該ワイヤレス操作信号を受信した全ての室内機４に室内機アドレスを自身のリモコンアドレスに変更させる。
【００２７】
したがって、室内機４の室内機アドレスが不明である場合に、室内機アドレスを設定する場合、或いは、所定のリモコンアドレスのワイヤレスリモコン３を対応付ける場合には、ワイヤレスリモコン３のリモコンアドレスを設定などした後、当該ワイヤレスリモコン３に変更前リモコンアドレス格納部３４にＡＬＬデータを格納したワイヤレス操作信号を送出させる。このとき、当該ワイヤレス操作信号を対象の室内機４以外の他の室内機４が受信しないように、他の室内機４の電源をオフにしておくか、或いは、ワイヤレスリモコン３の送信部１２を対象の室内機４の受信部２０に近接させておく。
【００２８】
ここで上記の通り、ＡＬＬデータは、全ての室内機４が当該ワイヤレス操作信号の受信対象であることを示すものである。したがって、制御データ部３３に格納した制御内容を実行させる通常の遠隔操作を行うときに、ワイヤレスリモコン３がＡＬＬデータをリモコンアドレス格納部３２に格納してワイヤレス操作信号を送出した場合には、当該ワイヤレス操作信号を受信した全ての室内機４が上記制御データ部３３に基づいて動作するため、複数の室内機４をまとめて一度に遠隔操作することが可能となる。
【００２９】
次いで、ワイヤレスリモコン３Ａ及び室内機４Ａの動作について説明する。なお、ワイヤレスリモコン３Ｂ及び室内機４Ｂは、ワイヤレスリモコン３Ａ及び室内機４Ａと同様の動作をする。
図４は、ワイヤレスリモコン３Ａの動作を示すフローチャートである。
ワイヤレスリモコン３Ａの制御部１１は、ユーザによって操作部１０が操作され、指示入力が行われたことを検出すると、この指示がワイヤレスリモコン３Ａのリモコンアドレスを設定するためのアドレス設定の開始指示であるか否かを判定する（ステップＳＡ１）。ユーザの指示がアドレス設定の開始指示であった場合（ステップＳＡ１：ＹＥＳ）、制御部１１は、ユーザによって操作部１０が操作されアドレスの入力が行われるまで待機する（ステップＳＡ２）。アドレスの入力があった場合（ステップＳＡ２：ＹＥＳ）、制御部１１は、リモコンアドレスを更新前リモコンアドレスとして記憶部１４に上書き記憶すると共に（ステップＳＡ３）、ユーザによって入力されたアドレスをリモコンアドレスとして記憶部１４に上書き記憶する（ステップＳＡ４）。
【００３０】
その後、制御部１１は、室内機４の室内機アドレスを設定すべく、アドレス設定用送信データを作成する。まず、制御部１１は、図３に示す送信データ３０のアドレス設定フラグ部３１のフラグをセットし（ステップＳＡ５）、リモコンアドレス格納部３２に、リモコンアドレスを示すデータを格納する（ステップＳＡ６）。さらに、制御部１１は、ユーザが操作部１０を介して指示入力を行った際、室内機アドレスが不明な室内機４も含め、アドレス設定用通信データを受信した全ての室内機アドレスを設定する旨の指示入力をおこなったのか、それとも、一対一に対応付けられた室内機４Ａの室内機アドレスを設定する旨の指示入力を行ったのか、を判定する（ステップＳＡ７）。受信した全ての室内機４のアドレスを設定する旨の指示をしていた場合（ステップＳＡ７：「全て」）、制御部１１は、変更前リモコンアドレス格納部３４にＡＬＬデータを格納する（ステップＳＡ８）。室内機４Ａのアドレスを変更する指示をしていた場合（ステップＳＡ７：「一対一」）、制御部１１は、変更前リモコンアドレス格納部３４に、変更前リモコンアドレスを示すデータを格納する（ステップＳＡ１０）。変更前リモコンアドレス格納部３４にデータを格納した後（ステップＳＡ８又はステップＳＡ１０）、制御部１１は、作成したアドレス設定用送信データを送信部１２を介して送出する（ステップＳＡ９）。
【００３１】
一方、ステップＳＡ１におけるユーザの指示が、アドレス設定の開始指示でない場合（ステップＳＡ１：ＮＯ）、制御部１１は、室内機４を制御すべく、制御用送信データを作成する。まず、制御部１１は、図３に示す送信データ３０のアドレス設定フラグ部３１のフラグをリセットする（ステップＳＡ１１）。さらに、制御部１１は、ユーザが操作部１０を介して指示入力を行った際、送信データを受信した全ての室内機４を制御する旨の指示をしていたか、それとも、一対一に対応付けられた室内機４Ａのみを制御する旨の指示をしていたか、を判定する（ステップＳＡ１２）。
【００３２】
送信データを受信した全ての室内機を制御する旨の指示がなされていた場合（ステップＳＡ１２：「全て」）、制御部１１は、変更後アドレス部にＡＬＬデータを格納する。室内機４Ａのみを制御する旨の指示がなされていた場合（ステップＳＡ１２：「一対一」）、制御部１１は、変更後アドレス部にリモコンアドレスを示すデータを格納する（ステップＳＡ１４）。
変更後アドレス部にデータを格納した後（ステップＳＡ１３又はステップＳＡ１４）、制御部１１は、制御データ部３３にユーザの指示入力に基づいてデータを格納し（ステップＳＡ１５）、作成した制御用送信データを送信部１２を介して送信する（ステップＳＡ９）。
【００３３】
図５は、室内機４Ａのデータ受信時の動作を示すフローチャートである。
室内機４Ａの制御部２１は、受信部２０がワイヤレス操作信号を受信したか否かを判定する（ステップＳＢ１）。ワイヤレス操作信号を受信していない場合（ステップＳＢ１：ＮＯ）、処理を終了する。ワイヤレス操作信号を受信した場合（ステップＳＢ１：ＹＥＳ）、制御部２１は、受信部２０を介してこのワイヤレス操作信号を受信データとして受信する（ステップＳＢ２）。受信データを受信した制御部２１は、アドレス設定フラグ部３１に格納されているフラグがセットされているか否かを判定する（ステップＳＢ３）。
【００３４】
アドレス設定フラグ部３１のフラグがセットされている場合（ステップＳＢ３：ＹＥＳ）、制御部２１は、変更前リモコンアドレス格納部３４に格納されているデータが、ＡＬＬデータであるか否かを判定する（ステップＳＢ４）。ＡＬＬデータの場合（ステップＳＢ４：ＹＥＳ）、制御部２１は、受信したデータがワイヤレスリモコン３Ａの送信したデータであるか否かを判定することなく、リモコンアドレス格納部３２に格納されているリモコンアドレスを、室内機アドレスとして記憶部２２に上書き記憶し（ステップＳＢ６）、処理を終了する。ＡＬＬデータではない場合（ステップＳＢ４：ＮＯ）、制御部２１は、変更前リモコンアドレス格納部３４に格納されている変更前リモコンアドレスの値が室内機アドレスの値と一致するか否かを判定する（ステップＳＢ５）。一致する場合（ステップＳＢ５：ＹＥＳ）、制御部２１は、リモコンアドレス格納部３２に格納されているリモコンアドレスを室内機アドレスとして記憶部２２に上書き記憶し（ステップＳＢ６）、処理を終了する。一致していない場合（ステップＳＢ５：ＮＯ）、制御部２１は、受信したデータに基づいて処理を行うことなく、処理を終了する。
【００３５】
一方、アドレス設定フラグ部３１のフラグがセットされていない場合、（ステップＳＢ３：ＮＯ）、制御部２１は、リモコンアドレス格納部３２に格納されているデータが、ＡＬＬデータであるか否かを判定する（ステップＳＢ７）。ＡＬＬデータの場合（ステップＳＢ７：ＹＥＳ）、制御部２１は、受信したデータがワイヤレスリモコン３Ａの送信したデータであるか否かを判別することなく、制御データ部３３の内容に基づいて、運転モードの切り替えや設定温度の変更等の処理を行い（ステップＳＢ９）、処理を終了する。ＡＬＬデータではない場合（ステップＳＢ７：ＮＯ）、制御部２１は、リモコンアドレス格納部３２に格納されているリモコンアドレスの値が、室内機アドレスの値と一致するか否かを判定する（ステップＳＢ８）。一致している場合（ステップＳＢ８：ＹＥＳ）、制御部２１は、受信データの制御データ部３３の内容に基づいて処理を行い（ステップＳＢ９）、処理を終了する。一致していない場合（ステップＳＢ８：ＮＯ）、制御部２１は、受信したデータに基づいて処理を行うことなく、処理を終了する。
【００３６】
以上説明したように、本実施形態において、ワイヤレスリモコン３Ａは、自身のアドレスが変更された後、一対一に対応付けられた室内機４Ａの室内機アドレスを変更する際、アドレス設定用送信データの変更前リモコンアドレス格納部３４に変更前リモコンアドレスをデータとして格納し（図４のステップＳＡ１０）、送信する。このデータを受信した室内機４Ａは、変更前リモコンアドレスの値が室内機アドレスの値と等しい場合に（図５のステップＳＢ５）、リモコンアドレス格納部３２に格納されているリモコンアドレスを室内機アドレスとして記憶部２２に上書き記憶することにより、室内機アドレスを設定する。
一方、室内機４Ｂがワイヤレスリモコン３Ａの送信したアドレス設定用通信データを受信した場合、このアドレス設定用通信データに格納されている変更前リモコンアドレスの値が自身の室内機アドレスと異なるため（ステップＳＢ５：ＮＯ）、この受信データに基づいて自身のアドレスを設定することがない。したがって、ワイヤレスリモコン３Ａ及び室内機４Ａのアドレス変更時において、ワイヤレスリモコン３Ａを室内機４Ａに近づけたり、室内機４Ｂの電源をオフしたりすることによって、室内機４Ｂがワイヤレスリモコン３Ａの送信するアドレス設定用通信データを受信しないようにする作業が必要なくなり、簡単にアドレス変更を行うことができる。
【００３７】
また、本実施形態によれば、ワイヤレスリモコン３は、室内機アドレスが不明な室内機のアドレスを設定する際は、アドレス設定用送信データの変更前リモコンアドレス格納部３４にＡＬＬデータを格納し（図４のステップＳＡ８）、送信する。そして、このデータを受信した室内機４は、このデータが一対一に対応付けられているワイヤレスリモコン３から送信されたデータであるか否かを判定することなく、自身のアドレスの設定を行う。このため、ワイヤレスリモコン３は、アドレス設定用送信データの変更前リモコンアドレス格納部３４にＡＬＬデータを格納することにより、室内機アドレスが不明な室内機４に対してもアドレスの設定を行うことができる。
【００３８】
なお、上述した実施の形態は、あくまでも本発明の一態様を示すものであり、本発明の範囲内で任意に変形および応用が可能である。
例えば、図３において送信データ３０のフォーマットの一例を示しているが、送信データ３０のフォーマットはこれに限らず、チェックサム等のデータを付加してもよい。
【００３９】
また、本実施形態においては、アドレス強制設定時やアドレス変更時において、ワイヤレスリモコン３Ａに対し、ユーザがアドレスを入力する構成としているが、これを表示部１３に選択可能なアドレスを一覧表示し、この一覧からユーザが所望のアドレスを選択する構成としてもよい。
【００４０】
また、本実施形態に係る室内機４Ａ，４Ｂは、室外機（不図示）と任意の接続形態によって接続可能である。例えば、特定の室内機４が特定の室外機と接続される接続形態でもよく、また、１台の室外機に複数の室内機４が接続される接続形態でもよい。
【００４１】
また、本実施形態において、室内機４Ａからワイヤレスリモコン３Ａに対し信号を送出することはできないが、これを送出可能な構成としてもよい。この構成によれば、ワイヤレスリモコン３Ａが、現在設定されている室内機アドレスを問い合わせ、その結果を表示部１３に表示することが可能になる。
【００４２】
また、本実施形態において、ワイヤレスリモコン３Ａのリモコンアドレスが設定された際に、ワイヤレスリモコン３Ａはアドレス設定用送信データを送信しているが、ワイヤレスリモコン３Ａがアドレス設定用送信データを送信する場合はこれに限らず、ユーザの指示に応じて送信するようにしてもよい。
【００４３】
また、本実施形態において、現在のリモコンアドレスを更新前アドレスとして記憶する際（図４のステップＳＡ３）、ユーザが入力したアドレスをリモコンアドレスとして記憶する際（図４のステップＳＡ４）、及び、室内機アドレスを設定する際（図５のステップＳＢ６）、上書き記憶するようにしているが、これは、上書き記憶である必要はなく、例えば、以前のデータを残したまま、データの優先度を示す情報と共に記憶するようにしてもよい。
【図面の簡単な説明】
【００４４】
【図１】本実施形態に係る空気調和装置の構成を示す図である。
【図２】本実施形態に係る空気調和装置の機能的構成を示すブロック図である。
【図３】送信データの構成例を示す図である。
【図４】ワイヤレスリモコンの動作を示すフローチャートである。
【図５】室内機の動作を示すフローチャートである。
【符号の説明】
【００４５】
１  空気調和システム
１Ａ、１Ｂ  空気調和装置
３、３Ａ、３Ｂ  ワイヤレスリモコン
４、４Ａ、４Ｂ  室内機
５  空気調和装置
１０  操作部
【図１】
2008151372.tif 000003
【図２】
2008151372.tif 000004
【図３】
2008151372.tif 000005
【図４】
2008151372.tif 000006
【図５】
2008151372.tif 000007